(57)【要約】【課題】ユーザ自身の関心の高いＴＶ番組の情報を容易に取得することを実現するＴＶ番組録画配信システム、ＴＶ番組録画配信方法、およびそのプログラムを提供する。【解決手段】メール配信サーバ３は、自身が格納するユーザ情報に基づいて、自身が格納するＴＶ番組を示す情報から、所定のＴＶ番組を示す情報を抽出する。メール配信サーバ３は、抽出したＴＶ番組の情報を含む電子メールを作成し、携帯端末１に送信する。携帯端末１は、受信した電子メール上の録画ボタンを選択することによりＴＶ番組録画・配信サーバ４にＴＶ番組の録画要求を行う。ＴＶ番組録画・配信サーバ４は、録画予約されたＴＶ番組の録画完了後、録画完了した旨の電子メールを通信端末５に送信する。【選択図】　　　　図１
2004064343.tif 000002
【特許請求の範囲】
【請求項１】
ユーザ端末装置と、ＴＶ番組に係る情報を配信する番組情報配信サーバと、が互いに接続されるＴＶ番組録画配信システムであって、
前記番組情報配信サーバは、
１つ以上のユーザの個人情報を示すユーザ情報を格納するユーザ情報格納手段と、
１つ以上のＴＶ番組に係る情報を格納する番組情報格納手段と、
ユーザ情報格納手段により格納されているユーザ情報に基づいて、前記番組情報格納手段により格納されている１つ以上のＴＶ番組に係る情報のうち所定の前記ＴＶ番組に係る情報を抽出し、該抽出したＴＶ番組に係る情報を含む配信番組情報を作成する番組情報作成手段と、
前記番組情報作成手段により作成された配信番組情報を前記ユーザ端末装置に送信する番組情報送信手段と、
を有することを特徴とするＴＶ番組録画配信システム。
【請求項２】
前記ユーザ情報格納手段は、
前記ユーザの関心が高い単語情報を示すユーザキーワード情報をそれぞれ含む前記１つ以上のユーザ情報を格納し、
前記番組情報格納手段は、
前記ＴＶ番組に関連する単語情報を示す番組キーワード情報をそれぞれ含む前記１つ以上のＴＶ番組に係る情報を格納し、
前記番組情報作成手段は、
前記ユーザ情報格納手段により格納されているユーザキーワード情報に一致する前記番組キーワード情報を含むＴＶ番組に係る情報を抽出し、該抽出したＴＶ番組に係る情報に基づいて、ＴＶ番組の情報を含み、ＴＶ番組全体の録画予約を行うための配信番組情報を作成することを特徴とする請求項１記載のＴＶ番組録画配信システム。
【請求項３】
前記番組情報作成手段は、
前記抽出したＴＶ番組全体の録画予約の要求を行うためのＧＵＩ部品が設けられた電子メールを、前記配信番組情報として作成することを特徴とする請求項２記載のＴＶ番組録画配信システム。
【請求項４】
前記ユーザ情報格納手段は、
前記ユーザの関心が高い単語情報を示すユーザキーワード情報をそれぞれ含む前記１つ以上のユーザ情報を格納し、
前記番組情報格納手段は、
前記ＴＶ番組の各場面に関連する単語情報を示す場面キーワード情報をそれぞれ含む１つ以上のＴＶ番組における各場面の情報を格納し、
前記番組情報作成手段は、
前記ユーザ情報格納手段により格納されているユーザキーワード情報に一致する前記場面キーワード情報を含むＴＶ番組における所定の場面の情報を抽出し、該抽出したＴＶ番組における所定の場面の情報を含み、該ＴＶ番組における所定の場面の録画予約を行うための配信番組情報を作成することを特徴とする請求項１記載のＴＶ番組録画配信システム。
【請求項５】
前記番組情報作成手段は、
前記抽出したＴＶ番組における所定の場面の録画予約の要求を行うためのＧＵＩ部品が設けられた電子メールを、前記配信番組情報として作成することを特徴とする請求項４記載のＴＶ番組録画配信システム。
【請求項６】
ＴＶ番組を録画するＴＶ番組録画・配信サーバをさらに有し、
前記ＴＶ番組録画・配信サーバは、
前記配信番組情報を用いたＴＶ番組の録画予約指示を前記ユーザ端末装置から受信し、該受信した録画予約指示を格納する録画予約手段と、
前記録画予約手段により格納された録画予約指示に基づいて、ＴＶ番組の録画を行う録画手段と、を有し、
前記番組情報配信サーバは、
前記録画手段による録画完了後、該録画が完了した旨の情報を含み、前記録画手段により録画されたＴＶ番組を再生するための録画完了情報を作成する完了情報作成手段と、
前記完了情報作成手段により作成された録画完了情報を前記ユーザ端末装置に送信する完了情報送信手段と、
を有することを特徴とする請求項１から５のいずれか１項に記載のＴＶ番組録画配信システム。
【請求項７】
前記完了情報作成手段は、
前記ＴＶ番組の録画が完了した旨の情報が示され、前記録画が完了したＴＶ番組の視聴要求を前記ＴＶ番組録画・配信サーバに送信するためのＧＵＩ部品が設けられた電子メールを、前記録画完了情報として作成することを特徴とする請求項６記載のＴＶ番組録画配信システム。
【請求項８】
ユーザ端末装置と、ＴＶ番組に係る情報を配信する番組情報配信サーバと、が互いに接続されるＴＶ番組録画配信システムを用いたＴＶ番組録画配信方法であって、
前記番組情報配信サーバが、１つ以上のユーザの個人情報を示すユーザ情報を格納するユーザ情報格納工程と、
前記番組情報配信サーバが、１つ以上のＴＶ番組に係る情報を格納する番組情報格納工程と、
前記番組情報配信サーバが、ユーザ情報格納工程により格納したユーザ情報に基づいて、前記番組情報格納工程により格納した１つ以上のＴＶ番組に係る情報のうち所定の前記ＴＶ番組に係る情報を抽出し、該抽出したＴＶ番組に係る情報を含む配信番組情報を作成する番組情報作成工程と、
前記番組情報配信サーバが、前記番組情報作成工程により作成した配信番組情報を前記ユーザ端末装置に送信する番組情報送信工程と、
を有することを特徴とするＴＶ番組録画配信方法。
【請求項９】
前記ユーザ情報格納工程は、
前記番組情報配信サーバが、前記ユーザの関心が高い単語情報を示すユーザキーワード情報をそれぞれ含む前記１つ以上のユーザ情報を格納し、
前記番組情報格納工程は、
前記番組情報配信サーバが、前記ＴＶ番組に関連する単語情報を示す番組キーワード情報をそれぞれ含む前記１つ以上のＴＶ番組に係る情報を格納し、
前記番組情報作成工程は、
前記番組情報配信サーバが、前記ユーザ情報格納工程により格納したユーザキーワード情報に一致する前記番組キーワード情報を含むＴＶ番組に係る情報を抽出し、該抽出したＴＶ番組に係る情報に基づいて、ＴＶ番組の情報を含み、ＴＶ番組全体の録画予約を行うための配信番組情報を作成することを特徴とする請求項８記載のＴＶ番組録画配信方法。
【請求項１０】
前記番組情報作成工程は、
前記番組情報配信サーバが、前記抽出したＴＶ番組全体の録画予約の要求を行うためのＧＵＩ部品が設けられた電子メールを、前記配信番組情報として作成することを特徴とする請求項９記載のＴＶ番組録画配信方法。
【請求項１１】
前記ユーザ情報格納工程は、
前記番組情報配信サーバが、前記ユーザの関心が高い単語情報を示すユーザキーワード情報をそれぞれ含む前記１つ以上のユーザ情報を格納し、
前記番組情報格納工程は、
前記番組情報配信サーバが、前記ＴＶ番組の各場面に関連する単語情報を示す場面キーワード情報をそれぞれ含む１つ以上のＴＶ番組における各場面の情報を格納し、
前記番組情報作成工程は、
前記番組情報配信サーバが、前記ユーザ情報格納工程により格納したユーザキーワード情報に一致する前記場面キーワード情報を含むＴＶ番組における所定の場面の情報を抽出し、該抽出したＴＶ番組における所定の場面の情報を含み、該ＴＶ番組における所定の場面の録画予約を行うための配信番組情報を作成することを特徴とする請求項８記載のＴＶ番組録画配信方法。
【請求項１２】
前記番組情報作成工程は、
前記番組情報配信サーバが、前記抽出したＴＶ番組における所定の場面の録画予約の要求を行うためのＧＵＩ部品が設けられた電子メールを、前記配信番組情報として作成することを特徴とする請求項１１記載のＴＶ番組録画配信方法。
【請求項１３】
前記ＴＶ番組録画配信システムは、ＴＶ番組を録画するＴＶ番組録画・配信サーバをさらに有し、
前記ＴＶ番組録画・配信サーバが、前記配信番組情報を用いたＴＶ番組の録画予約指示を前記ユーザ端末装置から受信し、該受信した録画予約指示を格納する録画予約工程と、
前記ＴＶ番組録画・配信サーバが、前記録画予約工程により格納した録画予約指示に基づいて、ＴＶ番組の録画を行う録画工程と、
前記番組情報配信サーバが、前記録画工程による録画完了後、該録画が完了した旨の情報を含み、前記録画工程により録画されたＴＶ番組を再生するための録画完了情報を作成する完了情報作成工程と、
前記番組情報配信サーバが、前記完了情報作成工程により作成した録画完了情報を前記ユーザ端末装置に送信する完了情報送信工程と、
を有することを特徴とする請求項８から１２のいずれか１項に記載のＴＶ番組録画配信方法。
【請求項１４】
前記完了情報作成工程は、
前記番組情報配信サーバが、前記ＴＶ番組の録画が完了した旨の情報が示され、前記録画が完了したＴＶ番組の視聴要求を前記ＴＶ番組録画・配信サーバに送信するためのＧＵＩ部品が設けられた電子メールを、前記録画完了情報として作成することを特徴とする請求項１３記載のＴＶ番組録画配信方法。
【請求項１５】
１つ以上のユーザの個人情報を示すユーザ情報を格納するユーザ情報格納処理と、
１つ以上のＴＶ番組に係る情報を格納する番組情報格納処理と、
ユーザ情報格納処理により格納されたユーザ情報に基づいて、前記番組情報格納処理により格納された１つ以上のＴＶ番組に係る情報のうち所定の前記ＴＶ番組に係る情報を抽出し、該抽出したＴＶ番組に係る情報を含む配信番組情報を作成する番組情報作成処理と、
前記番組情報作成処理により作成された配信番組情報を出力する番組情報出力処理と、
をコンピュータに実行させるためのプログラム。
【請求項１６】
前記ユーザ情報格納処理は、
前記ユーザの関心が高い単語情報を示すユーザキーワード情報をそれぞれ含む前記１つ以上のユーザ情報を格納し、
前記番組情報格納処理は、
前記ＴＶ番組に関連する単語情報を示す番組キーワード情報をそれぞれ含む前記１つ以上のＴＶ番組に係る情報を格納し、
前記番組情報作成処理は、
前記ユーザ情報格納処理により格納されたユーザキーワード情報に一致する前記番組キーワード情報を含むＴＶ番組に係る情報を抽出し、該抽出したＴＶ番組に係る情報に基づいて、ＴＶ番組の情報を含み、ＴＶ番組全体の録画予約を行うための配信番組情報を作成することを特徴とするコンピュータに実行させるための請求項１５記載のプログラム。
【請求項１７】
前記番組情報作成処理は、
前記抽出されたＴＶ番組全体の録画予約の要求を行うためのＧＵＩ部品が設けられた電子メールを、前記配信番組情報として作成することを特徴とするコンピュータに実行させるための請求項１６記載のプログラム。
【請求項１８】
前記ユーザ情報格納処理は、
前記ユーザの関心が高い単語情報を示すユーザキーワード情報をそれぞれ含む前記１つ以上のユーザ情報を格納し、
前記番組情報格納処理は、
前記ＴＶ番組の各場面に関連する単語情報を示す場面キーワード情報をそれぞれ含む１つ以上のＴＶ番組における各場面の情報を格納し、
前記番組情報作成処理は、
前記ユーザ情報格納処理により格納したユーザキーワード情報に一致する前記場面キーワード情報を含むＴＶ番組における所定の場面の情報を抽出し、該抽出したＴＶ番組における所定の場面の情報を含み、該ＴＶ番組における所定の場面の録画予約を行うための配信番組情報を作成することを特徴とするコンピュータに実行させるための請求項１５記載のプログラム。
【請求項１９】
前記番組情報作成処理は、
前記抽出されたＴＶ番組における所定の場面の録画予約の要求を行うためのＧＵＩ部品が設けられた電子メールを、前記配信番組情報として作成することを特徴とするコンピュータに実行させるための請求項１８記載のプログラム。
【請求項２０】
前記配信番組情報を用いたＴＶ番組の録画予約指示を入力し、該入力した録画予約指示を格納する録画予約処理と、
前記録画予約処理により格納された録画予約指示に基づいて、ＴＶ番組の録画を行う録画処理と、
前記録画処理による録画完了後、該録画が完了した旨の情報を含み、前記録画処理により録画されたＴＶ番組を再生するための録画完了情報を作成する完了情報作成処理と、
前記完了情報作成処理により作成された録画完了情報を出力する完了情報出力処理と、
をコンピュータに実行させるための請求項１５から１９のいずれか１項に記載のプログラム。
【請求項２１】
前記完了情報作成処理は、
前記ＴＶ番組の録画が完了した旨の情報が示され、前記録画が完了したＴＶ番組の視聴要求を出力するためのＧＵＩ部品が設けられた電子メールを、前記録画完了情報として作成することを特徴とする請求項２０記載のプログラム。
【発明の詳細な説明】
【０００１】
【発明の属する技術分野】
本発明は、ＴＶ番組録画配信システム、ＴＶ番組録画配信方法、およびそのプログラムに関し、特に、ＴＶ番組の録画予約および再生を行うＴＶ番組録画配信システム、ＴＶ番組録画配信方法、およびそのプログラムに関する。
【０００２】
【従来の技術】
通常、ＴＶ視聴者は、ＴＶ番組の録画予約を行う際、自宅などに設置されているビデオデッキおよびそのリモコンを操作して直接録画予約を行っていた。しかしながら、ＴＶ視聴者が録画予約を行わずに外出してしまった場合、ＴＶ番組の録画予約を行うことができないといった問題が生じていた。
【０００３】
上記のような問題を解決する従来技術として、特開２００２−１３５６９９号公報が開示するところのテレビ番組予約サービス方式および方法（以下、従来例１）があった。従来例１では、ホームページにアクセスしてＴＶ番組の録画予約を行い、録画完了後、上記のホームページにアクセスして録画予約したＴＶ番組の録画ファイルを入手可能としていた。
【０００４】
また、特開２００２−１９１００４号公報が開示するところのＴＶ番組録画システムおよびＴＶ番組録画方法（以下、従来例２）では、録画センターは、画像端末からＴＶ番組を指定するための録画情報を受け取ると、受け取った録画情報に基づいてＴＶ番組の録画を行っていた。録画センターは、画像端末から再生要求を受け取ると、再生要求されたＴＶ番組の映像データを画像端末に送信していた。
【０００５】
【発明が解決しようとする課題】
従来、ＴＶ視聴者は、録画予約を行う際、新聞のＴＶ欄などを何度も閲覧して、関心の高いＴＶ番組が放映されるか否かを調べることが必要であった。
【０００６】
本発明は、上記問題点に鑑みてなされたものであり、ユーザ自身の関心の高いＴＶ番組の情報を容易に取得することを実現するＴＶ番組録画配信システム、ＴＶ番組録画配信方法、およびそのプログラムを提供することを目的とする。
【０００７】
【課題を解決するための手段】
かかる目的を達成するため、請求項１記載の発明は、ユーザ端末装置と、ＴＶ番組に係る情報を配信する番組情報配信サーバと、が互いに接続されるＴＶ番組録画配信システムであって、番組情報配信サーバは、１つ以上のユーザの個人情報を示すユーザ情報を格納するユーザ情報格納手段と、１つ以上のＴＶ番組に係る情報を格納する番組情報格納手段と、ユーザ情報格納手段により格納されているユーザ情報に基づいて、番組情報格納手段により格納されている１つ以上のＴＶ番組に係る情報のうち所定のＴＶ番組に係る情報を抽出し、抽出したＴＶ番組に係る情報を含む配信番組情報を作成する番組情報作成手段と、番組情報作成手段により作成された配信番組情報をユーザ端末装置に送信する番組情報送信手段と、を有することを特徴とする。
【０００８】
また、請求項２記載の発明によれば、請求項１記載のＴＶ番組録画配信システムにおいて、ユーザ情報格納手段は、ユーザの関心が高い単語情報を示すユーザキーワード情報をそれぞれ含む１つ以上のユーザ情報を格納し、番組情報格納手段は、ＴＶ番組に関連する単語情報を示す番組キーワード情報をそれぞれ含む１つ以上のＴＶ番組に係る情報を格納し、番組情報作成手段は、ユーザ情報格納手段により格納されているユーザキーワード情報に一致する番組キーワード情報を含むＴＶ番組に係る情報を抽出し、抽出したＴＶ番組に係る情報に基づいて、ＴＶ番組の情報を含み、ＴＶ番組全体の録画予約を行うための配信番組情報を作成することを特徴とする。
【０００９】
また、請求項３記載の発明によれば、請求項２記載のＴＶ番組録画配信システムにおいて、番組情報作成手段は、抽出したＴＶ番組全体の録画予約の要求を行うためのＧＵＩ部品が設けられた電子メールを、配信番組情報として作成することを特徴とする。
【００１０】
また、請求項４記載の発明によれば、請求項１記載のＴＶ番組録画配信システムにおいて、ユーザ情報格納手段は、ユーザの関心が高い単語情報を示すユーザキーワード情報をそれぞれ含む１つ以上のユーザ情報を格納し、番組情報格納手段は、ＴＶ番組の各場面に関連する単語情報を示す場面キーワード情報をそれぞれ含む１つ以上のＴＶ番組における各場面の情報を格納し、番組情報作成手段は、ユーザ情報格納手段により格納されているユーザキーワード情報に一致する場面キーワード情報を含むＴＶ番組における所定の場面の情報を抽出し、抽出したＴＶ番組における所定の場面の情報を含み、ＴＶ番組における所定の場面の録画予約を行うための配信番組情報を作成することを特徴とする。
【００１１】
また、請求項５記載の発明によれば、請求項４記載のＴＶ番組録画配信システムにおいて、番組情報作成手段は、抽出したＴＶ番組における所定の場面の録画予約の要求を行うためのＧＵＩ部品が設けられた電子メールを、配信番組情報として作成することを特徴とする。
【００１２】
また、請求項６記載の発明によれば、請求項１から５のいずれか１項に記載のＴＶ番組録画配信システムにおいて、ＴＶ番組を録画するＴＶ番組録画・配信サーバをさらに有し、ＴＶ番組録画・配信サーバは、配信番組情報を用いたＴＶ番組の録画予約指示をユーザ端末装置から受信し、受信した録画予約指示を格納する録画予約手段と、録画予約手段により格納された録画予約指示に基づいて、ＴＶ番組の録画を行う録画手段と、を有し、番組情報配信サーバは、録画手段による録画完了後、録画が完了した旨の情報を含み、録画手段により録画されたＴＶ番組を再生するための録画完了情報を作成する完了情報作成手段と、完了情報作成手段により作成された録画完了情報をユーザ端末装置に送信する完了情報送信手段と、を有することを特徴とする。
【００１３】
また、請求項７記載の発明によれば、請求項６記載のＴＶ番組録画配信システムにおいて、完了情報作成手段は、ＴＶ番組の録画が完了した旨の情報が示され、録画が完了したＴＶ番組の視聴要求をＴＶ番組録画・配信サーバに送信するためのＧＵＩ部品が設けられた電子メールを、録画完了情報として作成することを特徴とする。
【００１４】
また、請求項８記載の発明は、ユーザ端末装置と、ＴＶ番組に係る情報を配信する番組情報配信サーバと、が互いに接続されるＴＶ番組録画配信システムを用いたＴＶ番組録画配信方法であって、番組情報配信サーバが、１つ以上のユーザの個人情報を示すユーザ情報を格納するユーザ情報格納工程と、番組情報配信サーバが、１つ以上のＴＶ番組に係る情報を格納する番組情報格納工程と、番組情報配信サーバが、ユーザ情報格納工程により格納したユーザ情報に基づいて、番組情報格納工程により格納した１つ以上のＴＶ番組に係る情報のうち所定のＴＶ番組に係る情報を抽出し、抽出したＴＶ番組に係る情報を含む配信番組情報を作成する番組情報作成工程と、番組情報配信サーバが、番組情報作成工程により作成した配信番組情報をユーザ端末装置に送信する番組情報送信工程と、を有することを特徴とする。
【００１５】
また、請求項９記載の発明によれば、請求項８記載のＴＶ番組録画配信方法において、ユーザ情報格納工程は、番組情報配信サーバが、ユーザの関心が高い単語情報を示すユーザキーワード情報をそれぞれ含む１つ以上のユーザ情報を格納し、番組情報格納工程は、番組情報配信サーバが、ＴＶ番組に関連する単語情報を示す番組キーワード情報をそれぞれ含む１つ以上のＴＶ番組に係る情報を格納し、番組情報作成工程は、番組情報配信サーバが、ユーザ情報格納工程により格納したユーザキーワード情報に一致する番組キーワード情報を含むＴＶ番組に係る情報を抽出し、抽出したＴＶ番組に係る情報に基づいて、ＴＶ番組の情報を含み、ＴＶ番組全体の録画予約を行うための配信番組情報を作成することを特徴とする。
【００１６】
また、請求項１０記載の発明によれば、請求項９記載のＴＶ番組録画配信方法において、番組情報作成工程は、番組情報配信サーバが、抽出したＴＶ番組全体の録画予約の要求を行うためのＧＵＩ部品が設けられた電子メールを、配信番組情報として作成することを特徴とする。
【００１７】
また、請求項１１記載の発明によれば、請求項８記載のＴＶ番組録画配信方法において、ユーザ情報格納工程は、番組情報配信サーバが、ユーザの関心が高い単語情報を示すユーザキーワード情報をそれぞれ含む１つ以上のユーザ情報を格納し、番組情報格納工程は、番組情報配信サーバが、ＴＶ番組の各場面に関連する単語情報を示す場面キーワード情報をそれぞれ含む１つ以上のＴＶ番組における各場面の情報を格納し、番組情報作成工程は、番組情報配信サーバが、ユーザ情報格納工程により格納したユーザキーワード情報に一致する場面キーワード情報を含むＴＶ番組における所定の場面の情報を抽出し、抽出したＴＶ番組における所定の場面の情報を含み、ＴＶ番組における所定の場面の録画予約を行うための配信番組情報を作成することを特徴とする。
【００１８】
また、請求項１２記載の発明によれば、請求項１１記載のＴＶ番組録画配信方法において、番組情報作成工程は、番組情報配信サーバが、抽出したＴＶ番組における所定の場面の録画予約の要求を行うためのＧＵＩ部品が設けられた電子メールを、配信番組情報として作成することを特徴とする。
【００１９】
また、請求項１３記載の発明によれば、請求項８から１２のいずれか１項に記載のＴＶ番組録画配信方法において、ＴＶ番組録画配信システムは、ＴＶ番組を録画するＴＶ番組録画・配信サーバをさらに有し、ＴＶ番組録画・配信サーバが、配信番組情報を用いたＴＶ番組の録画予約指示をユーザ端末装置から受信し、受信した録画予約指示を格納する録画予約工程と、ＴＶ番組録画・配信サーバが、録画予約工程により格納した録画予約指示に基づいて、ＴＶ番組の録画を行う録画工程と、番組情報配信サーバが、録画工程による録画完了後、録画が完了した旨の情報を含み、録画工程により録画されたＴＶ番組を再生するための録画完了情報を作成する完了情報作成工程と、番組情報配信サーバが、完了情報作成工程により作成した録画完了情報をユーザ端末装置に送信する完了情報送信工程と、を有することを特徴とする。
【００２０】
また、請求項１４記載の発明によれば、請求項１３記載のＴＶ番組録画配信方法において、完了情報作成工程は、番組情報配信サーバが、ＴＶ番組の録画が完了した旨の情報が示され、録画が完了したＴＶ番組の視聴要求をＴＶ番組録画・配信サーバに送信するためのＧＵＩ部品が設けられた電子メールを、録画完了情報として作成することを特徴とする。
【００２１】
また、請求項１５記載の発明は、１つ以上のユーザの個人情報を示すユーザ情報を格納するユーザ情報格納処理と、１つ以上のＴＶ番組に係る情報を格納する番組情報格納処理と、ユーザ情報格納処理により格納されたユーザ情報に基づいて、番組情報格納処理により格納された１つ以上のＴＶ番組に係る情報のうち所定のＴＶ番組に係る情報を抽出し、抽出したＴＶ番組に係る情報を含む配信番組情報を作成する番組情報作成処理と、番組情報作成処理により作成された配信番組情報を出力する番組情報出力処理と、をコンピュータに実行させることを特徴とする。
【００２２】
また、請求項１６記載の発明によれば、請求項１５記載のプログラムにおいて、ユーザ情報格納処理は、ユーザの関心が高い単語情報を示すユーザキーワード情報をそれぞれ含む１つ以上のユーザ情報を格納し、番組情報格納処理は、ＴＶ番組に関連する単語情報を示す番組キーワード情報をそれぞれ含む１つ以上のＴＶ番組に係る情報を格納し、番組情報作成処理は、ユーザ情報格納処理により格納されたユーザキーワード情報に一致する番組キーワード情報を含むＴＶ番組に係る情報を抽出し、抽出したＴＶ番組に係る情報に基づいて、ＴＶ番組の情報を含み、ＴＶ番組全体の録画予約を行うための配信番組情報を作成することを特徴とする。
【００２３】
また、請求項１７記載の発明によれば、請求項１６記載のプログラムにおいて、番組情報作成処理は、抽出されたＴＶ番組全体の録画予約の要求を行うためのＧＵＩ部品が設けられた電子メールを、配信番組情報として作成することを特徴とする。
【００２４】
また、請求項１８記載の発明によれば、請求項１５記載のプログラムにおいて、ユーザ情報格納処理は、ユーザの関心が高い単語情報を示すユーザキーワード情報をそれぞれ含む１つ以上のユーザ情報を格納し、番組情報格納処理は、ＴＶ番組の各場面に関連する単語情報を示す場面キーワード情報をそれぞれ含む１つ以上のＴＶ番組における各場面の情報を格納し、番組情報作成処理は、ユーザ情報格納処理により格納したユーザキーワード情報に一致する場面キーワード情報を含むＴＶ番組における所定の場面の情報を抽出し、抽出したＴＶ番組における所定の場面の情報を含み、ＴＶ番組における所定の場面の録画予約を行うための配信番組情報を作成することを特徴とする。
【００２５】
また、請求項１９記載の発明によれば、請求項１８記載のプログラムにおいて、番組情報作成処理は、抽出されたＴＶ番組における所定の場面の録画予約の要求を行うためのＧＵＩ部品が設けられた電子メールを、配信番組情報として作成することを特徴とする。
【００２６】
また、請求項２０記載の発明によれば、請求項１５から１９のいずれか１項に記載のプログラムにおいて、配信番組情報を用いたＴＶ番組の録画予約指示を入力し、入力した録画予約指示を格納する録画予約処理と、録画予約処理により格納された録画予約指示に基づいて、ＴＶ番組の録画を行う録画処理と、録画処理による録画完了後、録画が完了した旨の情報を含み、録画処理により録画されたＴＶ番組を再生するための録画完了情報を作成する完了情報作成処理と、完了情報作成処理により作成された録画完了情報を出力する完了情報出力処理と、をコンピュータに実行させることを特徴とする。
【００２７】
また、請求項２１記載の発明によれば、請求項２０記載のプログラムにおいて、完了情報作成処理は、ＴＶ番組の録画が完了した旨の情報が示され、録画が完了したＴＶ番組の視聴要求を出力するためのＧＵＩ部品が設けられた電子メールを、録画完了情報として作成することを特徴とする。
【００２８】
【発明の実施の形態】
（第１の実施形態）
〈ＴＶ番組録画配信システムの概要〉
本発明の第１の実施形態におけるＴＶ番組録画配信システムは、以下に説明するＴＶ番組の録画・配信サービスをユーザ側に提供するものである。ＴＶ番組録画配信システムは、ユーザが興味を持っている分野のＴＶ番組の情報をユーザ側に提供する。また、本実施形態におけるＴＶ番組録画配信システムは、ユーザ側から録画要求されたＴＶ番組の録画を代行し、その録画したＴＶ番組の視聴要求をユーザ側から受け取ると、該当するＴＶ番組の画像（映像）データ（主に動画データ）をユーザ側に送信する。
【００２９】
〈ＴＶ番組録画配信システムの構成〉
図１は、本発明の第１の実施形態におけるＴＶ番組録画配信システムの構成を示す図である。本実施形態では、ＴＶ番組録画配信システムは、携帯端末１と、認証・課金サーバ２と、メール配信サーバ３と、ＴＶ番組録画・配信サーバ４と、通信端末５と、無線通信網６と、ネットワーク７と、を有する。なお、ＴＶ番組録画配信システムが有する携帯端末の数は、図により限定されないものとする。
【００３０】
無線通信網（例えばｉモードのパケット通信網）６は、携帯端末１と認証・課金サーバ２とを接続するとともに、携帯端末１とメール配信サーバ３とを接続する。
【００３１】
また、有線／無線のネットワーク（例えばインターネット）７は、認証・課金サーバ２、メール配信サーバ３、ＴＶ番組録画・配信サーバ４、および通信端末５を相互接続する。
【００３２】
図２は、本発明の第１の実施形態における携帯端末１の構成を示す図である。以下、図２を用いて、本実施形態における携帯端末１の構成および動作について説明する。
【００３３】
携帯端末１は、ユーザにより操作される情報処理装置であって、携帯電話機であってもよいし、ＰＨＳ、ＰＤＡ、またはノートブック型ＰＣであってもよい。また、携帯端末１は、本実施形態で説明する機能を有しているものであれば、他の機器であってもよい。
【００３４】
図２に示されているように、携帯端末１は、制御部１１と、送受信部１２と、データ格納部１３と、表示部１４と、操作部１５と、音声入出力部１６と、を有する。
【００３５】
制御部１１は、送受信部１２、データ格納部１３、表示部１４、操作部１５、および音声入出力部１６と接続されており、上記の接続されている各部位を含む携帯端末１が有する各部位の制御を行う。
【００３６】
送受信部１２は、無線通信網６を介してデータの送受信を行う。データ格納部１３は、送受信部１２により受信された情報、および操作部１５により入力された情報を含む各情報を格納する。
【００３７】
表示部１４は、例えば、液晶または有機ＥＬ（Ｅｌｅｃｔｒｏｌｕｍｉｎｅｓｃｅｎｃｅ）などによるディスプレイであって、文字、画像、映像情報などを表示する。例えば、表示部１４は、認証・課金サーバ２から送信された情報、およびメール配信サーバ３から送信された電子メールなどを表示する。
【００３８】
操作部１５は、情報の入力を行う。例えば、操作部１５は、通常の携帯電話機などに設けられているテンキーまたは方向キーなどであってもよいし、他の形状の操作部位であってもよい。
【００３９】
音声入出力部１６は、音声の入出力を行う部位である。例えば、音声入出力部１６には、通常の携帯電話機などに設けられているようなマイクロフォンおよびスピーカが設けられているとしてもよい。
【００４０】
図３は、本発明の第１の実施形態における認証・課金サーバ２の構成を示す図である。以下、図３を用いて、本実施形態における認証・課金サーバ２の構成および動作について説明する。
【００４１】
認証・課金サーバ２は、ＴＶ番組録画配信システムが提供するＴＶ番組の録画・配信サービスを利用するユーザの認証および課金を行うサーバである。また、認証・課金サーバ２は、携帯端末１および通信端末５にＷｅｂページを提供するＷｅｂサーバとして機能するとしてもよい。なお、認証・課金サーバ２は、情報を管理・配信する情報処理装置であって、ワークステーションなどのハイエンドＰＣにより実現されるとしてもよい。
【００４２】
図３に示されるように、認証・課金サーバ２は、制御部２１と、送受信部２２と、データ格納部２３と、ユーザ情報格納部２４と、ユーザ認証部２５と、ユーザ課金部２６と、番組情報格納部２７と、を有する。
【００４３】
制御部２１は、送受信部２２、データ格納部２３、ユーザ情報格納部２４、ユーザ認証部２５、ユーザ課金部２６、および番組情報格納部２７と接続されており、上記の接続されている各部位を含む認証・課金サーバ２が有する各部位の制御を行う。
【００４４】
送受信部２２は、無線通信網６およびネットワーク７を介してデータの送受信を行う。データ格納部２３は、例えばＨＴＭＬ（Ｈｙｐｅｒｔｅｘｔ　Ｍａｒｋｕｐ　Ｌａｎｇｕａｇｅ）またはＸＭＬ（Ｅｘｔｅｎｓｉｂｌｅ　ＭａｒｋｕｐＬａｎｇｕａｇｅ）などで記述された画面情報を格納する。また、データ格納部２３は、送受信部２２により受信された情報を含む各情報を格納する。
【００４５】
ユーザ情報格納部２４は、本実施形態のＴＶ番組録画配信システムによるＴＶ番組録画・配信サービスを利用するユーザに係る顧客情報を格納する部位である。例えば、ユーザ情報格納部２４は、各ユーザを識別するためのユーザＩＤ、ユーザの氏名、ユーザのアドレス、ユーザがＴＶ番組録画・配信サービスを利用する際に必要なパスワード情報、およびユーザが興味を示している分野を示すキーワードなどを互いに対応付けて格納する。
【００４６】
ユーザ認証部２５は、送受信部２２により受信されたパスワード情報と、ユーザ情報格納部２４に格納されているパスワード情報と、を比較し、ＴＶ番組の録画を希望するユーザの認証を行う。
【００４７】
ユーザ課金部２６は、ユーザのＴＶ番組録画・配信サービスの利用料金に係る課金処理を行う。
【００４８】
番組情報格納部２７は、ＴＶ番組に係る情報（番組情報）を格納する部位である。例えば、番組情報格納部２７は、ＴＶ番組を識別するための番組ＩＤ、ＴＶ番組名、放映日時、放映ＴＶ局、録画する際にユーザに課金される利用料金、および番組ＩＤごとに、各番組に関連する単語（キーワード）情報などを、互いに対応付けて格納する。
【００４９】
図４は、本発明の第１の実施形態におけるメール配信サーバ３の構成を示す図である。以下、図４を用いて、本実施形態におけるメール配信サーバ３の構成および動作について説明する。
【００５０】
メール配信サーバ３は、ＴＶ番組録画配信システムが提供するＴＶ番組録画・配信サービスを利用するユーザごとに、ユーザの個人情報に応じた情報（例えば、電子メール）を作成し、配信するサーバである。また、メール配信サーバ３は、情報を管理・配信する情報処理装置であって、ワークステーションなどのハイエンドＰＣにより実現されるとしてもよい。
【００５１】
図４に示されるように、メール配信サーバ３は、制御部３１と、送受信部３２と、データ格納部３３と、ユーザ情報格納部３４と、番組情報格納部３５と、メール作成部３６と、を有する。
【００５２】
制御部３１は、送受信部３２、データ格納部３３、ユーザ情報格納部３４、番組情報格納部３５、およびメール作成部３６と接続されており、上記の接続されている各部位を含むメール配信サーバ３が有する各部位の制御を行う。
【００５３】
送受信部３２は、無線通信網６およびネットワーク７を介してデータの送受信を行う。データ格納部３３は、送受信部３２により受信された情報を含む各情報を格納する。
【００５４】
ユーザ情報格納部３４は、本実施形態のＴＶ番組録画配信システムによるＴＶ番組録画・配信サービスを利用するユーザに係る顧客情報（ユーザ情報）を格納する部位である。例えば、ユーザ情報格納部３４は、ユーザＩＤ、ユーザの氏名、ユーザのアドレス、ユーザがＴＶ番組録画・配信サービスを利用する際に必要なパスワード情報、およびユーザが興味を示している分野を示すキーワードなどを、互いに対応付けて格納する。
【００５５】
番組情報格納部３５は、ＴＶ番組に係る情報（番組情報）を格納する部位である。例えば、番組情報格納部３５は、番組ＩＤ、ＴＶ番組名、放映日時、放映ＴＶ局、ＴＶ番組を録画予約する際にユーザに課金される利用料金、および各番組に関連する単語（キーワード）情報などを、互いに対応付けて格納する。
【００５６】
メール作成部３６は、ユーザ情報格納部３４に格納されているユーザ情報、および番組情報格納部３５に格納されている番組情報に基づいて、ユーザごとにＴＶ番組情報（例えば電子メール）を作成する。本実施形態では、メール作成部３６は、ユーザが保持する端末に送信する電子メールとして、「録画メール」および「再生メール」を作成する。
【００５７】
「録画メール」には、ユーザが興味を示している分野のおすすめＴＶ番組が示されており、そのＴＶ番組ごとに付加されている「録画」ボタンを選択することにより、ユーザは録画の要求をＴＶ番組録画・配信サーバ４に行うことができる。
【００５８】
「再生メール」には、ユーザに録画要求された番組の録画が完了したことが示されている。また、再生メールには、その録画が完了したＴＶ番組ごとに「再生」ボタンが付加されており、ユーザは、自身が保持するユーザ端末（携帯端末１または通信端末５）を用いて、その再生ボタンを選択することにより、録画済みのＴＶ番組の再生要求をＴＶ番組録画・配信サーバ４に行うことができる。
【００５９】
なお、録画ボタンおよび再生ボタンは、アイコンなどのＧＵＩ（Ｇｒａｐｈｉｃａｌ　Ｕｓｅｒ　Ｉｎｔｅｒｆａｃｅ）部品により実現されるとしてよい。
【００６０】
図５は、本発明の第１の実施形態におけるＴＶ番組録画・配信サーバ４の構成を示す図である。以下、図５を用いて、本実施形態におけるＴＶ番組録画・配信サーバ４の構成および動作について説明する。
【００６１】
ＴＶ番組録画・配信サーバ４は、ＴＶ番組録画配信システムが提供するＴＶ番組録画・配信サービスを利用するユーザからの要求に応じて、ＴＶ番組を録画し、録画済みのＴＶ番組の映像データをユーザが保持する端末に配信するサーバである。また、ＴＶ番組録画・配信サーバ４は、情報を管理・配信する情報処理装置であって、ワークステーションなどのハイエンドＰＣにより実現されるとしてもよい。
【００６２】
図５に示されるように、ＴＶ番組録画・配信サーバ４は、制御部４１と、送受信部４２と、データ格納部４３と、番組情報格納部４４と、番組録画部４５と、を有する。
【００６３】
制御部４１は、送受信部４２、データ格納部４３、番組情報格納部４４、および番組録画部４５と接続されており、上記の接続されている各部位を含むＴＶ番組録画・配信サーバ４が有する各部位の制御を行う。
【００６４】
送受信部４２は、有線／無線のネットワーク７を介してデータの送受信を行う。データ格納部４３は、送受信部４２により受信された情報を含む各情報を格納する。
【００６５】
番組情報格納部４４は、ＴＶ番組に係る情報（番組情報）を格納する部位である。例えば、番組情報格納部４４は、番組ＩＤ、ＴＶ番組名、放映日時、放映ＴＶ局、および録画する際にユーザに課金される利用料金、および各番組に関連する単語（キーワード）情報などを、互いに対応付けて格納する。
【００６６】
番組録画部４５は、地上波または衛星放送のＴＶ放送を受像し、受像したＴＶ放送を録画する部位である。例えば、番組録画部４５は、ＴＶ放送の電波を受信するアンテナ有しており、ＴＶ放送の電波を受信し、ＴＶ番組を録画するとしてもよい。また、番組録画部４５は、有線のネットワークを介してＣＡＴＶ（Ｃａｂｌｅ　Ｔｅｌｅｖｉｓｉｏｎ）局などのＴＶ番組の映像データを配信する放送局と接続されており、その接続先の放送局からＴＶ番組の映像データを受信し、録画するとしてもよい。
【００６７】
図６は、本発明の第１の実施形態における通信端末５の構成を示す図である。以下、図６を用いて、本実施形態における通信端末５の構成および動作について説明する。
【００６８】
通信端末５は、ユーザにより操作される情報処理装置であって、携帯電話機であってもよいし、ＰＨＳ、ＰＤＡ、ノートブック型ＰＣ、デスクトップ型ＰＣ、またはタワー型ＰＣであってもよい。また、通信端末５は、本実施形態で説明する機能を有しているものであれば、他の機器であってもよい。
【００６９】
図６に示されているように、通信端末５は、制御部５１と、送受信部５２と、データ格納部５３と、表示部５４と、操作部５５と、音声入出力部５６と、を有する。
【００７０】
制御部５１は、送受信部５２、データ格納部５３、表示部５４、操作部５５、および音声入出力部５６と接続されており、上記の接続されている各部位を含む通信端末５が有する各部位の制御を行う。
【００７１】
送受信部５２は、無線通信網を介してデータの送受信を行う。データ格納部５３は、送受信部５２により受信された情報、および操作部５５により入力された情報を含む各情報を格納する。
【００７２】
表示部５４は、例えば、ＣＲＴ（Ｃａｔｈｏｄｅ−ｒａｙ　Ｔｕｂｅ）、液晶または有機ＥＬなどによるディスプレイであって、文字、画像、または映像情報などを表示する。例えば、表示部５４は、認証・課金サーバ２から送信された情報、メール配信サーバ３から送信された電子メール、およびＴＶ番組録画・配信サーバ４から送信されたＴＶ番組の映像データなどを表示する。
【００７３】
操作部５５は、情報の入力を行う。例えば、操作部５５は、通常の携帯電話機などに設けられているテンキーまたは方向キーなどであってもよいし、他の形状の操作部位であってもよい。
【００７４】
音声入出力部５６は、音声の入出力を行う部位である。例えば、音声入出力部５６には、通常の携帯電話機などに設けられているようなマイクロフォンおよびスピーカが設けられているとしてもよい。
【００７５】
〈ユーザ登録動作〉
図７および図８は、本発明の第１の実施形態におけるＴＶ番組録画配信システムによるＴＶ番組の録画・配信サービスのユーザ登録動作の流れを示すフローチャートである。以下、図１乃至図６を用い、図７および図８に沿って、本実施形態におけるＴＶ番組録画配信システムによるユーザ登録動作について説明する。
【００７６】
まず、携帯端末１の送受信部１２は、ＴＶ番組の録画・配信サービスの利用登録のための画面情報（登録画面情報）の取得要求を認証・課金サーバ２に送信する（ステップＳ１０１）。
【００７７】
認証・課金サーバ２の送受信部２２が登録画面情報の取得要求を受信すると（ステップＳ１０２）、制御部２１は、データ格納部２３に格納されている登録画面情報を抽出する。送受信部２２は、抽出された登録画面情報を携帯端末１に送信する（ステップＳ１０３）。
【００７８】
送受信部１２が認証・課金サーバ２から登録画面情報を受信すると、表示部１４は、受信された登録画面情報を表示する（ステップＳ１０４）。
【００７９】
図９は、本発明の第１の実施形態において、表示部１４に表示される登録画面情報を示す図である。図９に示されているように、表示部１４は、登録画面情報として、「氏名」、「性別」、「生年月日」、「趣味」、および「クレジット番号」などのユーザの個人情報の各入力欄とともに、「メール送付先アドレス」、「キーワード」、および「パスワード」の各入力欄を表示する。
【００８０】
「メール送付先アドレス」入力欄には、メール配信サーバ３が送付する録画メールおよび再生メールの送付先アドレスが入力される。なお、送付先として登録されるアドレスの数は図により限定されないものとする。
【００８１】
「キーワード」入力欄には、ユーザが興味を持っている人物や事柄などを示す単語が入力される。なお、入力されるキーワード数は、図により限定されないものとする。メール配信サーバ３は、上記のキーワードに基づいて、録画メールによりユーザに録画を薦めるＴＶ番組を決定する。
【００８２】
「パスワード」入力欄には、ユーザがＴＶ番組の録画の際に必要となるパスワードが入力される。なお、「パスワード」は、所定の文字列からなるとしてもよいものとする。
【００８３】
操作部１５は、表示部１４に表示されている登録画面上の各入力欄にユーザ情報の各項目を入力する。ユーザ情報入力後、操作部１５が図９に示されている「送信」ボタンを選択すると、送受信部１２は、入力されたユーザ情報を認証・課金サーバ２に送信する（ステップＳ１０５）。
【００８４】
送受信部２２が携帯端末１からユーザ情報を受信すると、制御部２１は、その受信されたユーザ情報に対応したユーザＩＤ（所定の文字列からなるとしてもよい）を発行する（ステップＳ１０６）。
【００８５】
ユーザ情報格納部２４は、発行されたユーザＩＤに対応付けるようにして、ユーザ情報を格納する（ステップＳ１０７）。
【００８６】
図１０は、本発明の第１の実施形態におけるユーザ情報格納部２４が保持するユーザ情報データベースを示す図である。図１０に示されているように、ユーザ情報格納部２４は、「ユーザＩＤ」、「氏名」、「性別」、「生年月日」、「趣味」、「メール送付先アドレス」、「キーワード」、「クレジット番号」、および「パスワード」をそれぞれ互いに対応付けてユーザ情報として格納している。また、ユーザ情報格納部２４は、ユーザ情報としてさらに「録画日時」、「番組名」、「利用料金」、および「利用履歴」といったＴＶ番組の録画履歴についてもユーザＩＤに対応させるようにして保持する。
【００８７】
「ユーザＩＤ」は、ＴＶ番組の録画・配信サービスを利用する各ユーザを識別するための識別子である。「氏名」は、各ユーザの氏名を示す。「性別」は、各ユーザの性別を示す。「生年月日」は、各ユーザの生年月日を示す。「趣味」は、各ユーザの趣味を示す。「メール送付先アドレス」は、メール配信サーバ３が録画メールおよび再生メールを送付する送付先の端末のアドレスを示す。「キーワード」は、各ユーザが関心を持っている人物や事柄などを示す。なお、キーワードの内容および数は図により限定されないものとする。「クレジット番号」は、ユーザが保持するクレジットカードの番号またはユーザの金融機関口座の番号などを示す。「パスワード」は、ユーザがＴＶ番組の録画を行う際に入力が必要な情報（例えば所定の文字列）である。
【００８８】
「番組ＩＤ」は、ＴＶ番組を識別するための識別子であり、各ユーザが録画予約したＴＶ番組を示す。「録画日時」は、各ユーザが録画予約したＴＶ番組の録画日時を示す。「利用料金」は、各ＴＶ番組をユーザが利用（録画予約または視聴）した際にサーバ側（ＴＶ番組の録画・配信サービス提供側）に支払う料金を示す。
【００８９】
「利用履歴」は、ユーザが録画予約したＴＶ番組の利用状況を示す。例えば、録画予約され、まだ録画されていないＴＶ番組には「未録画」、録画され、まだ視聴されていないＴＶ番組には「未視聴」、録画され、すでに視聴されているＴＶ番組には「視聴済み」がそれぞれ記録される。なお、「視聴済み」の代わりにユーザに視聴された回数（ユーザが保持する端末にＴＶ番組の映像データが配信された回数）が記録されてもよい。
【００９０】
次に、制御部２１は、データ格納部２３から、ＴＶ番組の録画・配信サービスの利用登録が完了した旨の画面情報を抽出し、その抽出した画面情報に対して発行したユーザＩＤを示す情報を付加する。送受信部２２は、ユーザＩＤが付加された画面情報を携帯端末１に送信する（ステップＳ１０８）。
【００９１】
送受信部１２は、認証・課金サーバ２から登録完了を示す画面情報を受信すると、表示部１４は、受信された登録完了を示す画面情報を表示する（ステップＳ１０９）。図１１は、本発明の第１の実施形態における表示部１４が表示する登録完了画面を示す図である。図１１に示されているように、表示部１４は、登録完了画面情報として、発行された「ユーザＩＤ」を表示する。なお、図１１では、「ユーザＩＤ」の他に「メール送付先アドレス」および「キーワード」が示されているが、登録完了画面情報として表示される情報は、図により限定されないものとする。また、データ格納部１３は、受信したユーザＩＤを格納する。
【００９２】
また、送受信部２２は、新たに登録されたユーザ情報をメール配信サーバ３に送信する（ステップＳ１１０）。メール配信サーバ３の送受信部３２が認証・課金サーバ２からユーザ情報を受信すると、ユーザ情報格納部３４は、受信されたユーザ情報を格納する（ステップＳ１１１）。ユーザ情報格納部３４が保持するユーザ情報データベースは、図１０に示されるようなユーザ情報格納部２４が保持するものと同様であるとしてもよい。以上で、本実施形態におけるＴＶ番組録画配信システムによるユーザ登録動作を終了する。
【００９３】
〈録画予約動作〉
図１２および図１３は、本発明の第１の実施形態におけるＴＶ番組録画配信システムによるＴＶ番組の録画予約動作の流れを示すフローチャートである。以下、図１乃至図６を用い、図１２および図１３に沿って、本実施形態におけるＴＶ番組録画配信システムによるＴＶ番組の録画予約動作について説明する。
【００９４】
まず、メール配信サーバ３のメール作成部３６は、ユーザ情報格納部３４に格納されているユーザ情報に基づいて、番組情報格納部３５が保持するＴＶ番組情報データベースから該当するＴＶ番組を抽出して、録画メールを作成する（ステップＳ２０１）。
【００９５】
図１４は、本発明の第１の実施形態における番組情報格納部３５が保持するＴＶ番組情報データベースを示す図である。図１４に示されているように、番組情報格納部３５は、「番組ＩＤ」、「番組名」、「キーワード」、「放映日時」、「放映ＴＶ局」、「録画受付期限」、「視聴受付期限」、および「利用料金」をそれぞれ互いに対応付けてＴＶ番組情報として格納する。なお、番組情報格納部３５は、図１４に示される以外の情報もＴＶ番組情報として格納するものとしてもよい。また、番組情報格納部２７も図１４に示されるＴＶ番組情報データベースを有しているものとする。
【００９６】
「番組ＩＤ」は、各ＴＶ番組を識別するための識別子である。「番組名」は、各ＴＶ番組の題名を示す。「放映日時」は、各ＴＶ番組が放映される日時を示す。「放映ＴＶ局」は、各ＴＶ番組を放映するＴＶ局名を示す。
【００９７】
「キーワード」は、各ＴＶ番組に関連する人物や事柄を示す情報である。例えば、各ＴＶ番組の「キーワード」は、そのＴＶ番組の分野（例えばスポーツ、映画、旅行など）であってもよいし、ＴＶ番組の舞台となる地域名、ＴＶ番組に出演する人物名、ＴＶ番組に使用される音楽名、ＴＶ番組で利用された商品名、またはＴＶ番組に登場する店名などであってもよい。なお、ＴＶ番組に対応する「キーワード」の数および内容は図により限定されないものとする。
【００９８】
「録画受付期限」は、ＴＶ番組録画・配信サーバ４が、携帯端末１からのＴＶ番組録画を受け付けることが可能な期限を示す情報である。また、「視聴受付期限」は、ＴＶ番組録画・配信サーバ４が、携帯端末１からの録画済みのＴＶ番組の再生を受け付けることが可能な期限を示す情報である。なお、制御部４１は、ＴＶ番組情報データベースの「視聴受付期限」を超過したＴＶ番組データを消去するとしてもよい。
【００９９】
また、「利用料金」は、ＴＶ番組録画ごとに課金される料金であって、一定期間ごとに、ユーザは、自身が録画予約したＴＶ番組の利用料金の合計を認証・課金サーバ２の管理者側（ＴＶ番組の録画・配信サービスのサービス提供側）に支払う。
【０１００】
ここで、録画メールを送信する端末のユーザのユーザ情報に、「キーワード」として、「ワールドカップ」および「山本花子」が登録されている場合について説明する。メール作成部３６は、ＴＶ番組情報データベースを検索し、ユーザ情報に含まれるキーワードと一致するキーワードを保持するＴＶ番組を抽出する。例えば、図１４に示されているように、番組情報格納部３５は、キーワードに「ワールドカップ」を含む番組ＩＤ「０００１」の番組情報と、キーワードに「山本花子」を含む番組ＩＤ「０００２」の番組情報と、を保持している。従って、メール作成部３６は、番組ＩＤ「０００１」の番組情報および番組ＩＤ「０００２」の番組情報を抽出する。
【０１０１】
なお、本実施形態では、メール作成部３６は、ユーザ情報データベースの「キーワード」に一致する「キーワード」を保持する番組情報を抽出していたが、他のユーザ情報に基づいて、番組情報を抽出するとしてもよい。例えば、メール作成部３６は、「性別」、「趣味」、または「生年月日」などのユーザ情報に基づいて番組情報を抽出するとしてもよい。
【０１０２】
また、ＴＶ番組録画配信システムは、ユーザが自身が保持する端末で頻繁に閲覧するホームページを検出する手段を有するとし、メール作成部３６は、そのホームページの内容に応じて番組情報を抽出するとしてもよい。
【０１０３】
また、ＴＶ番組録画配信システムは、ユーザがインターネット上などで購買した商品を検出する手段を有し、メール作成部３６は、購買された商品に関連するＴＶ番組を抽出するとしてもよい。また、ユーザの他の個人データに基づいて、ＴＶ番組を抽出するとしてもよい。
【０１０４】
また、図１４には示されていないが、番組情報格納部３５は、各番組ＩＤに対応するように、各ＴＶ番組の内容を示す情報を保持している。メール作成部３６は、上記のユーザ情報、番組情報、およびＴＶ番組の内容を示す情報から構成される録画メールを作成する。また、メール作成部３６は、録画メールに、送付先のユーザのユーザＩＤおよび録画メールにおいて紹介されるＴＶ番組の番組ＩＤを付加する。
【０１０５】
また、メール作成部３６は、ユーザ情報および番組情報を用いて、録画メールとともに携帯端末１に送信される利用料金画面情報を作成する（ステップＳ２０２）。利用料金画面情報は、以下のように作成される。メール作成部３６は、録画メールに付加した番組ＩＤを参照して、録画メールにおいて紹介される各ＴＶ番組の利用料金を番組情報格納部３５から抽出する。また、メール作成部３６は、録画メールに付加されたユーザＩＤに基づいて、メール送付先のユーザに係るユーザ情報を抽出する。メール作成部３６は、抽出した番組情報およびユーザ情報に基づいて、抽出した番組情報に対応するＴＶ番組ごとに、そのＴＶ番組の利用料金を示す利用料金画面情報を作成する。
【０１０６】
次に、制御部３１は、ユーザ情報格納部３４に格納されているユーザ情報のうち、作成された録画メールのユーザＩＤに対応したユーザ情報を参照して、そのユーザ情報における「メール送付先アドレス」を検出する。送受信部３２は、その検出されたアドレスの端末に録画メールおよび各ＴＶ番組の利用料金画面情報を送付する（ステップＳ２０３）。
【０１０７】
携帯端末１の送受信部１２は、メール配信サーバ３から録画メールおよび利用料金画面情報を受信すると、データ格納部１３は、送受信部１２により受信された録画メールおよび料金画面情報を格納する（ステップＳ２０４）。
【０１０８】
次に、表示部１４は、データ格納部１３に格納された録画メールを表示する（ステップＳ２０５）。図１５は、本発明の第１の実施形態における表示部１４が表示する録画メールを示す図である。図１５に示されているように、録画メールには、ユーザがＴＶ番組の録画・配信サービスの利用登録時に入力したキーワードに対応したＴＶ番組の情報が示されている。図１５には、ＴＶ番組の情報として、番組名、放映日時、録画受付期限、視聴受付期限、および番組内容が示されているが、録画メールには、ＴＶ番組に係る他の情報が示されるとしてもよい。また、録画メール上には、ＴＶ番組の情報ごとに「録画」ボタンが設けられている。
【０１０９】
なお、録画ボタンは、録画メール上に示されているＴＶ番組ごとに対応してそれぞれ設けられており、各録画ボタンには、それぞれ対応付けられたＴＶ番組の利用料金画面情報へのリンク情報が付加されている。操作部１５が録画メール上の録画ボタンを選択すると、表示部１４は、データ格納部１３に格納されている１つ以上の利用料金画面情報のうち、選択された録画ボタンに対応付けられているＴＶ番組の利用料金画面情報を表示する（ステップＳ２０６）。
【０１１０】
図１６は、本発明の第１の実施形態における表示部１４が表示する利用料金画面を示す図である。図１６に示されているように、利用料金画面には、ユーザが録画を希望するＴＶ番組の番組名、その利用料金、およびその利用料金が課金されるユーザのユーザＩＤが示される。また、利用料金画面には、パスワード入力欄および録画ボタンが設けられている。
【０１１１】
操作部１５は、パスワードを入力し、利用料金画面上の録画ボタンを選択すると、制御部１１は、データ格納部１３に格納されているユーザＩＤを抽出し、送受信部１２は、所定のＴＶ番組の録画要求（抽出されたユーザＩＤ、入力されたパスワード、および該当する番組ＩＤを含む）を認証・課金サーバ２に送信する（ステップＳ２０７）。
【０１１２】
なお、上記では、利用料金画面情報は、録画メールとともに携帯端末１に送信することとしたが、携帯端末１に送信せずに、認証・課金サーバ２上の特定のＵＲＬ（ユーザ単位、番組単位に設定）に格納し、録画メール上に録画ボタンの代わりにそのＵＲＬ自体を表示するようにしてもよい。この場合、録画メール上のＵＲＬをクリックすることにより、そのユーザ用かつその番組用に作成された利用料金画面情報を表示し、操作部１５がパスワードを入力して利用料金画面上の録画ボタンを選択することにより、認証・課金サーバ２は、ユーザＩＤ、番組ＩＤ、パスワードを取得する。
【０１１３】
さらに、上記では、各ＴＶ番組の利用料金を示す情報は、利用料金画面上に表示するようにしたが、各ＴＶ番組の情報（番組名、放映日時など）とともに録画メール上に表示されるとしてもよい。この場合、録画メール上の録画ボタンまたはＵＲＬをクリックすると、ユーザＩＤ、パスワード入力欄、録画ボタンが設けられた利用料金画面が表示されることになる。
【０１１４】
送受信部２２が携帯端末１からユーザＩＤ、パスワード、およびＴＶ番組の録画要求を受信すると、制御部２１は、ユーザ情報格納部２４に格納されているユーザ情報を参照し、受信されたユーザＩＤに対応するパスワードを抽出する。ユーザ認証部２５は、制御部２１により抽出されたパスワードと、送受信部２２により受信されたパスワードと、を比較し、ユーザの認証を行う（ステップＳ２０８）。送受信部２２は、ユーザの認証結果に応じて、後述する許可画面情報および不許可画面情報のうちのいずれかを携帯端末１に送信する。
【０１１５】
受信されたユーザＩＤに対応するパスワードと、受信されたパスワードと、が一致したと判断された場合（ステップＳ２０８／Ｙｅｓ）、認証・課金サーバ２は、ユーザのパスワードを認証し、ユーザのＴＶ番組の録画・配信サービスの利用をユーザに許可する旨のメッセージが示されている許可画面情報を抽出して携帯端末１に送信する（ステップＳ２０９）。
【０１１６】
受信されたユーザＩＤに対応するパスワードと、受信されたパスワードと、が一致しなかったと判断された場合（ステップＳ２０８／Ｎｏ）、送受信部２２は、データ格納部２３から、ＴＶ番組の録画・配信サービスの利用を許可しない旨のメッセージが示されている不許可画面情報を抽出して携帯端末１に送信する（ステップＳ２１０）。
【０１１７】
送受信部１２は、認証結果を示す画面情報を認証・課金サーバ２から受信すると、制御部１１は、その受信された認証結果を示す画面情報が許可画面情報であるか否かを判断する（ステップＳ２１１）。
【０１１８】
受信された認証結果を示す情報が不許可画面情報であると判断された場合（ステップＳ２１１／Ｎｏ）、表示部１４は、ユーザに対してＴＶ番組の録画・配信サービス利用が許可されなかった旨を表示し（ステップＳ２１３）、ＴＶ番組録画配信システムは、動作を終了する。
【０１１９】
受信された認証結果を示す情報が許可画面情報であると判断された場合（ステップＳ２１１／Ｙｅｓ）、表示部１４は、ユーザに対してＴＶ番組の録画・配信サービス利用が許可された旨を表示する（ステップＳ２１２）。
【０１２０】
次に、制御部２１は、番組情報格納部２７を参照し、携帯端末１から受信された録画要求に含まれる番組ＩＤに対応する番組情報を抽出する。制御部２１は、抽出した番組情報を用いて、録画要求とともに受信されたユーザＩＤに対応するユーザ情報格納部２４内のユーザ情報の「録画日時」、「番組ＩＤ」、「利用料金」、および「利用履歴」の項目に、録画に係る情報を記録する（ステップＳ２１４）。なお、制御部２１は、「利用履歴」に「未録画」を記録する。
【０１２１】
次に、送受信部２２は、所定のＴＶ番組の録画要求（録画を要求するユーザのユーザＩＤ、および該当する番組ＩＤを含む）をＴＶ番組録画・配信サーバ４に送信する（ステップＳ２１５）。
【０１２２】
送受信部４２がＴＶ番組の録画要求（上記のユーザＩＤおよび番組ＩＤを含む）を受信すると、制御部４１は、番組情報格納部４４が保持するＴＶ番組情報データベースにおける録画要求されているＴＶ番組の「録画予約ユーザＩＤ」の項目に、受信されたユーザＩＤを書き込む（ステップＳ２１６）。
【０１２３】
図１７は、本発明の第１の実施形態における番組情報格納部４４が保持するＴＶ番組情報データベースを示す図である。図１７のＴＶ番組情報データベースには、図１４に示される番組情報格納部３５が保持するＴＶ番組情報データベースに加えて、さらに「録画予約ユーザＩＤ」および「利用履歴」のユーザ情報が設けられている。
【０１２４】
制御部４１は、受信されたＴＶ番組の録画要求に含まれるユーザＩＤを、番組情報格納部４４内の該当するＴＶ番組の「録画予約ユーザＩＤ」に書き込む。制御部４１は、ユーザにより録画要求されていないＴＶ番組に対しては、図１７の番組ＩＤ「０００２」、「０００４」のＴＶ番組の「録画予約ユーザＩＤ」ように「なし」と記録する。制御部４１は、録画要求され、まだ録画されていないＴＶ番組の「利用履歴」には「未録画」と記録する。なお、制御部４１は、すでに録画され、まだユーザに視聴されていないＴＶ番組の「利用履歴」には「未視聴」と記録し、録画後にユーザにより視聴されたＴＶ番組の「利用履歴」には「視聴済み」と記録する。
【０１２５】
〈録画・録画完了通知動作〉
図１８および図１９は、本発明の第１の実施形態におけるＴＶ番組録画配信システムによるＴＶ番組の録画動作および録画完了通知動作の流れを示すフローチャートである。以下、図１乃至図６を用いて、図１８および図１９に沿って、本実施形態におけるＴＶ番組録画配信システムによるＴＶ番組の録画動作および録画完了通知動作について説明する。
【０１２６】
まず、制御部４１は、各ＴＶ番組の放映開始時刻の所定時間前になると、番組情報格納部４４内のＴＶ番組情報データベースを参照して、放映開始の所定時間前のＴＶ番組の「録画予約ユーザＩＤ」にユーザＩＤが記録されているか否かを判断する（ステップＳ３０１）。
【０１２７】
放映開始の所定時間前のＴＶ番組の「録画予約ユーザＩＤ」に「なし」が記録されていると判断された場合（ステップＳ３０１／Ｎｏ）、制御部４１は、そのＴＶ番組の録画を予約したユーザがいないと判断し、番組録画部４５は、そのＴＶ番組の録画を実行しない。制御部４１は、ステップＳ３０１の処理を繰り返して、他のＴＶ番組の「録画予約ユーザＩＤ」を参照する。
【０１２８】
放映開始の所定時間前のＴＶ番組の「録画予約ユーザＩＤ」にユーザＩＤが記録されていると判断された場合（ステップＳ３０１／Ｙｅｓ）、制御部４１は、ユーザによりそのＴＶ番組の録画が予約されたと判断し、番組録画部４５は、そのＴＶ番組のＴＶ番組情報における「放映日時」にＴＶ番組の録画を実行する（ステップＳ３０２）。番組データ蓄積部４６は、録画されたＴＶ番組データ（ＴＶ番組の映像データ）とそのＴＶ番組の番組ＩＤを互いに対応付けて蓄積する（ステップＳ３０３）。
【０１２９】
ＴＶ番組の録画終了後、制御部４１は、ＴＶ番組情報データベースにおける録画されたＴＶ番組の「利用履歴」を「未録画」から「未視聴」に書き換える（ステップＳ３０４）。
【０１３０】
次に、送受信部４２は、録画が完了した旨の情報（番組ＩＤを含む）および録画済みのＴＶ番組に登録されているユーザＩＤを認証・課金サーバ２に送信する（ステップＳ３０５）。
【０１３１】
送受信部２２は、ユーザＩＤとともに録画が完了した旨の情報を受信すると、制御部２１は、ユーザ情報格納部２４が保持するユーザ情報データベースにおける受信された番組ＩＤに対応する「利用履歴」を「未録画」から「未視聴」に書き換える（ステップＳ３０６）。
【０１３２】
また、送受信部４２は、録画が完了した旨の情報（番組ＩＤを含む）および録画が完了したＴＶ番組の録画予約をしたユーザのユーザＩＤをメール配信サーバ３に送信する（ステップＳ３０７）。
【０１３３】
送受信部３２は、ユーザＩＤとともに録画が完了した旨の情報（番組ＩＤを含む）を受信すると、制御部３１は、ユーザ情報格納部３４により格納されているユーザ情報データベースにおける受信された番組ＩＤに対応する「利用履歴」を「未録画」から「未視聴」に書き換える（ステップＳ３０８）。
【０１３４】
次に、メール作成部３６は、送受信部３２により受信されたユーザＩＤに基づいて、ユーザ情報格納部３４からそのユーザＩＤに対応するユーザ情報を抽出する。また、メール作成部３６は、送受信部３２により受信された番組ＩＤに基づいて、番組情報格納部３５からその番組ＩＤに対応するＴＶ番組情報を抽出する。メール作成部３６は、抽出したユーザ情報およびＴＶ番組情報を用いて、録画完了した旨を示す再生メールを作成する（ステップＳ３０９）。
【０１３５】
次に、送受信部３２は、ユーザ情報格納部３４に格納されているユーザ情報のうち、再生メール作成の際に用いられたユーザ情報を参照して、そのユーザ情報における「メール送付先アドレス」を検出する。送受信部３２は、検出したアドレスの端末に再生メールを送付する（ステップＳ３１０）。
【０１３６】
通信端末５の送受信部５２は、メール配信サーバ３から再生メールを受信すると、データ格納部５３は、受信された再生メールを格納する。
【０１３７】
次に、表示部５４は、受信された再生メールを表示する（ステップＳ３１１）。図２０は、本発明の第１の実施形態における表示部５４が表示する再生メールを示す図である。図２０に示されているように、再生メールには、ユーザが録画予約したＴＶ番組が録画された旨の情報が示されている。また、再生メール上には、録画済みのＴＶ番組を視聴するための「再生」ボタンが設けられている。なお、再生メールには、複数のＴＶ番組の録画が完了した旨の情報が示されているとしてもよい。また、再生メールには、図２０に示されるもの以外の情報が示されるとしてもよい。以上で、ＴＶ番組録画配信システムは、録画動作を終了する。
【０１３８】
〈ＴＶ番組の再生動作〉
図２１は、本発明の第１の実施形態におけるＴＶ番組録画配信システムによるＴＶ番組の再生動作の流れを示すフローチャートである。以下、図１乃至図６を用い、図２１に沿って、本実施形態におけるＴＶ番組録画配信システムによるＴＶ番組の再生動作について説明する。
【０１３９】
まず、通信端末５の表示部５４は、送受信部５４がメール配信サーバ３から受信した再生メールを表示する（ステップＳ４０１）。
【０１４０】
操作部５５は、再生メール上の再生ボタンを選択すると、送受信部５２は、再生メール上に示されているＴＶ番組の再生要求（表示されているＴＶ番組の番組ＩＤ、および通信端末５のアドレスを含む）をＴＶ番組録画・配信サーバ４に送信する（ステップＳ４０２）。
【０１４１】
ＴＶ番組録画・配信サーバ４の送受信部４２が、通信端末５からＴＶ番組の再生要求（上記の番組ＩＤ、およびアドレスを含む）を受信すると、制御部４１は、受信された番組ＩＤのＴＶ番組データを番組データ蓄積部４６から抽出する。送受信部４２は、抽出されたＴＶ番組データを通信端末５に送信する（ステップＳ４０３）。なお、送受信部４２は、ＴＶ番組データを所定のファイル形式（例えばＭＰＥＧなど）の画像ファイルで通信端末５に送信するとしてもよいし、送受信部４２は、ストリーミング配信によりＴＶ番組データを通信端末５に送信するとしてもよい。ＴＶ番組データが画像ファイルで配信される場合には、制御部４１が、その画像ファイルに不正な複製を禁止するためのコピーガードを掛けるようにしてもよい。また、ＴＶ番組データがストリーミング配信される場合には、通信端末５で再生されたＴＶ番組データが通信端末５に残らないようにすることができる。
【０１４２】
また、ステップＳ３０３において、番組データ蓄積部４６は、録画されたＴＶ番組データとそのＴＶ番組の番組ＩＤとを互いに対応付けて蓄積していたが、録画されたＴＶ番組データを、番組ＩＤおよび録画予約したユーザのユーザＩＤの両方と互いに対応付けて蓄積するとしてもよい。その場合、送受信部４２は、通信端末５から、番組ＩＤ、通信端末５のユーザのユーザＩＤ、および通信端末５のアドレスを含むＴＶ番組の再生要求を受信する。制御部４１は、受信された番組ＩＤおよびユーザＩＤに対応付けられたＴＶ番組データを、番組データ蓄積部４６から抽出する。
【０１４３】
また、ステップＳ３０３において、番組データ蓄積部４６は、録画されたＴＶ番組データを、特定のＵＲＬ（ユーザ単位・番組単位に設定）に格納するとしてもよい。その場合、再生メール上に再生ボタンの代わりにそのＵＲＬ自体を表示してもよい。通信端末５は、再生メール上に表示されたＵＲＬがクリックされると、そのＵＲＬに格納されているＴＶ番組データの送信要求をＴＶ番組録画・配信サーバ４に送信する。送受信部４２は、通信端末５からクリックされたＵＲＬのＴＶ番組データの送信要求を受信すると、制御部４１は、そのＵＲＬに格納されたＴＶ番組データを番組データ蓄積部４６から抽出する。
【０１４４】
送受信部５２は、ＴＶ番組録画・配信サーバ４からＴＶ番組データを受信すると、表示部５４は、受信されたＴＶ番組データを再生する（ステップＳ４０４）。なお、ＴＶ番組データがストリーミング配信される場合、送受信部５２は、受信したＴＶ番組データに対するバッファリング機能および同期再生機能などを有しているものとしてよい。
【０１４５】
ＴＶ番組データ送信後、制御部４１は、番組情報格納部４４に格納されているＴＶ番組情報データベースの「利用履歴」を「未視聴」から「視聴済み」に書き換える（ステップＳ４０５）。なお、制御部４１は、「利用履歴」にＴＶ番組データを送信した回数を書き込むとしてもよい。
【０１４６】
また、送受信部４２は、ＴＶ番組データを通信端末５に送信した旨の情報（送信した番組ＩＤおよび送信先の端末を保持するユーザのユーザＩＤを含む）を認証・課金サーバ２に送信する（ステップＳ４０６）。送受信部２２は、ＴＶ番組データを送信した旨の情報（番組ＩＤおよびユーザＩＤを含む）を受信すると、制御部２１は、ユーザ情報格納部２４が保持するユーザ情報データベースの「利用履歴」を「未視聴」から「視聴済み」に書き換える（ステップＳ４０７）。なお、制御部２１は、「利用履歴」に、ＴＶ番組データが録画予約したユーザの端末に送信された回数を書き込むとしてもよい。
【０１４７】
また、送受信部４２は、ＴＶ番組データを通信端末５に送信した旨の情報（送信した番組ＩＤおよび送信先の端末を保持するユーザのユーザＩＤを含む）をメール配信サーバ３に送信する（ステップＳ４０８）。送受信部３２は、ＴＶ番組データを送信した旨の情報（番組ＩＤおよびユーザＩＤを含む）を受信すると、制御部３１は、ユーザ情報格納部３４が保持するユーザ情報データベースの「利用履歴」を「未視聴」から「視聴済み」に書き換える（ステップＳ４０９）。なお、制御部３１は、「利用履歴」に、ＴＶ番組データが録画予約したユーザの端末に送信された回数を書き込むとしてもよい。以上でＴＶ番組録画配信システムは、動作を終了する。
【０１４８】
なお、本実施形態では、ＴＶ番組録画配信システムは、認証・課金サーバ２、メール配信サーバ３、およびＴＶ番組録画・配信サーバ４を有していたが、ＴＶ番組録画配信システムは、各サーバの機能を組み合わせて備えたサーバを有するとしてもよい。
【０１４９】
本実施形態では、録画メールの受信および録画要求の送信は携帯端末１により行われていたが、通信端末５により行われるとしてもよい。また、再生メールの受信およびＴＶ番組の再生は通信端末５により行われていたが、携帯端末１とＴＶ番組録画・配信サーバ４とは無線通信網を介して通信可能とし、携帯端末１は、ＴＶ番組録画・配信サーバ４から配信されたＴＶ番組データを受信・再生するとしてもよい。
【０１５０】
ユーザ課金部２６は、ユーザ情報格納部２４が保持する「利用料金」を所定期間ごとに各ユーザで合計し、その利用料金の合計分、該当するユーザの金融機関口座から引き落とす旨の指示を、認証・課金サーバ２に接続されている決済機関の端末（図示せず）に送信するものとする。
【０１５１】
本実施形態では、録画予約された時点で課金されていたが、例えば１０ギガバイトで１ヶ月３，０００円というように、ユーザ課金部２６は、番組データ蓄積部４６の記憶領域のうち、ユーザに割り当てられた分に応じてユーザに課金するとしてもよい。また、ユーザ課金部２６は、ユーザ自身が保持する端末で視聴した回数に応じて、ユーザに課金するとしてもよい。
【０１５２】
また、本実施形態では、ＴＶ番組録画・配信サーバ４は、放映が予定されているＴＶ番組の録画予約を行い、放映（録画完了）後に録画済みのＴＶ番組データを配信していた。ＴＶ番組録画・配信サーバ４は、予め録画予約されていないＴＶ番組についても録画を行い、録画済みのＴＶ番組データを蓄積し、ユーザが保持する端末（携帯端末１または通信端末５）からの視聴要求を受信すると、その視聴要求されたＴＶ番組データをユーザが保持する端末に配信するとしてもよい。この場合、ユーザは、録画予約を行っていない放映後のＴＶ番組を視聴することができる。
【０１５３】
また、例えば、メール配信サーバ３が、ある商品または店舗などに関連するＴＶ番組を録画メールで紹介する場合、サーバ（認証・課金サーバ２、メール配信サーバ３、およびＴＶ番組録画・配信サーバ４）の管理者は、商品の製造元または店舗の経営側などから、その商品または店舗の広告料を徴収するようにしてもよい。徴収された広告料は、サーバの管理者の収益とされてもよいし、上記の商品または店舗の映像を録画予約したユーザに利用料金の割引として還元されてもよい。
【０１５４】
また、ＴＶ番組録画・配信サーバ４は、ユーザがユーザ登録時に設定したキーワードなどのユーザ情報に基づいて、ＴＶ放送から関連する分野のコマーシャルを抽出して録画してもよい。メール配信サーバ３は、その録画されたコマーシャルを視聴するための再生ボタンが設けられた再生メールをユーザが保持する端末に送信するとしてもよい。サーバの管理者は、そのコマーシャルの広告主から広告料を徴収するようにしてもよい。徴収された広告料は、サーバの管理者の収益とされてもよいし、上記の再生メールを用いてコマーシャルを視聴したユーザに利用料金の割引として還元されてもよい。
【０１５５】
以上説明したように、本実施形態では、メール配信サーバ３は、ユーザが登録したキーワードに応じたＴＶ番組情報を含むメールを、ユーザが保持する端末に送信する。従って、ユーザは、自身が興味を持っている分野のＴＶ番組情報を容易に取得することが可能となる。
【０１５６】
また、携帯端末１がＴＶ番組情報を含むメールとともに受信した画面情報上の所定のボタン（録画ボタン）を選択すると、録画予約処理が行われる。従って、ユーザは、自身が関心を持っているＴＶ番組の録画を時間、場所、および状況を選ばず容易に行うことが可能となる。
【０１５７】
また、メール配信サーバ３は、録画終了後、録画が完了した旨の情報を含む再生メールを通信端末５に送信する。通信端末５が再生メール上の所定のボタン（再生ボタン）を選択すると、ＴＶ番組録画・配信サーバ４は、通信端末５にＴＶ番組データを配信する。従って、ユーザは、録画が完了したＴＶ番組を容易に視聴することが可能となる。
【０１５８】
（第２の実施形態）
第１の実施形態では、メール配信サーバ３の番組情報格納部３５は、図１４に示されるようなＴＶ番組情報データベースおよびＴＶ番組の内容を示す情報を保持していた。本発明の第２の実施形態では、番組情報格納部３５は、さらにＴＶ番組映像中の各シーン（場面）の情報を示すシーン情報を管理するシーン情報データベースを保持するものとする。なお、以下特記しない限り、本実施形態における構成および動作は、第１の実施形態と同様であることとする。
【０１５９】
図２２および図２３は、本発明の第２の実施形態における番組情報格納部３５が保持するシーン情報データベースを示す図である。図２２および図２３に示されているように、番組情報格納部３５は、「シーンＩＤ」、「シーン名」、「時間帯」、および「キーワード」をそれぞれ互いに対応付けてシーン情報として格納している。
【０１６０】
「シーンＩＤ」は、ＴＶ番組の各シーンを識別するための識別子である。「シーン名」は、各シーンの表題を示す。「時間帯」は、各シーンが放映される時間帯を示す。「キーワード」は、各シーンの映像・音楽などに関連する単語を示す。なお、各シーンＩＤに対応付けられるキーワードの内容および数は図により限定されないものとする。「利用料金」は、各シーンをユーザが利用（録画予約または視聴）した際にサーバ側（ＴＶ番組の録画・配信サービス提供側）に支払う料金を示す。
【０１６１】
以下、図２２および図２３を用いて、本実施形態におけるメール作成部３６による録画メール作成動作について説明する。本実施形態では、例として、メール作成部３６が、ユーザ登録時にキーワードを「レストラン・ボスポラス」に設定したユーザに対する録画メールを作成するものとする。
【０１６２】
メール作成部３６は、番組情報格納部３５内のシーン情報を参照し、キーワード「レストラン・ボスポラス」に関連するＴＶ番組のシーンを検索する。図２２に示されているように、番組ＩＤ「０００２」におけるシーンＩＤ「０００２０２」にキーワード「レストラン・ボスポラス」が対応付けられている。また、図２３に示されているように、番組ＩＤ「００３０」におけるシーンＩＤ「００３００２」にキーワード「レストラン・ボスポラス」が対応付けられている。メール作成部３６は、キーワード「レストラン・ボスポラス」を含むシーンとして、シーンＩＤ「０００２０２」および「００３００２」を抽出する。
【０１６３】
また、図には示されていないが、番組情報格納部３４は、各シーンの内容を示すシーン内容情報を各シーンＩＤに対応付けて格納しているものとする。
【０１６４】
メール作成部３６は、抽出したシーンＩＤに対応付けられたシーン情報およびシーン内容情報を用いて、録画メールを作成する。メール配信サーバ３の送受信部３２は、第１の実施形態と同様に、ＴＶ番組の各シーンの録画料金（利用料金）が示される利用料金画面情報とともに、録画メールを携帯端末１に送信する。
【０１６５】
携帯端末１の送受信部１２が利用料金画面情報とともに録画メールを受信すると、表示部１４は、受信された録画メールを表示する。図２４は、本発明の第２の実施形態における表示部１４が表示する録画メールを示す図である。図２４に示されているように、録画メールには、ユーザがＴＶ番組の録画・配信サービスの利用登録時に入力したキーワードに対応したＴＶ番組のシーン情報が示されている。図２４には、ＴＶ番組のシーン情報として、番組名、シーン名、放映日時、録画受付期限、視聴受付期限、およびシーン内容が示されているが、録画メールには、ＴＶ番組およびそのシーンに係る他の情報が示されるとしてもよい。また、録画メール上には、ＴＶ番組のシーン情報ごとに「録画」ボタンが設けられている。
【０１６６】
第１の実施形態と同様に、操作部１５が録画メール上の録画ボタンを選択すると、表示部１４は、選択されたＴＶ番組のシーンの利用料金（録画料金）が示される利用料金画面情報を表示する。第１の実施形態と同様に、操作部１５は、利用料金画面情報上のパスワード入力欄にパスワードを入力し、利用料金画面情報上の録画ボタンを選択すると、送受信部２２は、認証・課金サーバ２に利用料金画面情報上に示されるＴＶ番組のシーンの録画要求を送信する。
【０１６７】
図２５は、本発明の第２の実施形態における認証・課金サーバ２のユーザ情報格納部２４が保持するユーザ情報データベースを示す図である。図１０に示される第１の実施形態におけるユーザ情報データベースでは、各ユーザが利用したＴＶ番組を「番組ＩＤ」で管理していた。これに対し、図２５に示される本実施形態のユーザ情報データベースは、各ユーザが利用したＴＶ番組における所定のシーンを「シーンＩＤ」で管理する。また、ユーザ情報データベースの「利用履歴」には、各ユーザによるＴＶ番組における各シーンの映像データの利用状況に応じて、第１の実施形態と同様に、「未録画」、「未視聴」、または「視聴済み」が書き込まれる。
【０１６８】
図２６および図２７は、本発明の第２の実施形態におけるＴＶ番組録画・配信サーバ４の番組情報格納部４４が保持するシーン情報データベースを示す図である。図２６に示されるシーン情報データベースは、図２２に示されるシーン情報データベースに「録画予約ユーザＩＤ」および「利用履歴」がさらに加えられたものとなっている。また、図２７に示されるシーン情報データベースは、図２３に示されるシーン情報データベースに「録画予約ユーザＩＤ」および「利用履歴」がさらに加えられたものとなっている。第１の実施形態と同様に、「録画予約ユーザＩＤ」には録画予約を行った端末を保持するユーザのユーザＩＤが書き込まれ、「利用履歴」には各ユーザによるＴＶ番組における各シーンの映像データの利用状況に応じて、「未録画」、「未視聴」、または「視聴済み」が書き込まれる。
【０１６９】
ＴＶ番組録画配信システムによる他の構成および動作については、録画・配信する対象がＴＶ番組全体の映像データからＴＶ番組の各シーンの映像データに代わる以外は、第１の実施形態と同様であるとする。
【０１７０】
なお、以上説明した本実施形態では、ユーザは、ユーザ登録時に自身が設定したキーワードに応じたＴＶ番組中の所定のシーンを録画予約することが可能であった。ＴＶ番組中の所定のシーンおよびＴＶ番組全体を録画予約するための録画ボタンがそれぞれ録画メール上に設けられ、ユーザは、録画予約する対象として、所定のシーンおよびＴＶ番組全体のうちのいずれかを選択可能としてもよい。
【０１７１】
また、ＴＶ番組録画・配信サーバ４は、携帯端末１などから録画予約されたシーンを含むＴＶ番組全体を録画し、通信端末５などからＴＶ番組におけるシーンの再生要求を受け取ると、録画したＴＶ番組全体の映像データから録画予約されたシーンの映像データだけを切り取って、切り取ったシーンの映像データを通信端末５などに送信するようにしてもよい。
【０１７２】
以上説明したように、本実施形態によれば、メール配信サーバ３は、ＴＶ番組全体ではなく、ユーザがユーザ登録時に設定したキーワードに関連するＴＶ番組中のシーンだけを抽出し、その抽出したシーンの録画を促す録画メールをユーザが保持する端末に送信する。従って、ユーザは自身が関心を持っているシーンだけの映像を取得することができ、携帯端末１、ＴＶ番組録画・配信サーバ４、または通信端末５におけるＴＶ番組データの記憶領域を効率よく使用することが可能となる。
【０１７３】
また、携帯端末１は、情報を送信・受信する処理と、情報を入力する処理と、情報を表示・出力する処理と、情報を格納する処理と、を行う。また、認証・課金サーバ２は、情報を送信・受信する処理と、情報を格納する処理と、ユーザの認証を行う処理と、ユーザのＴＶ番組の録画・配信サービス利用の料金を課金する処理と、を行う。また、メール配信サーバ３は、情報を送信・受信する処理と、情報を格納する処理と、ＴＶ番組の録画／再生を行うための電子メールを作成する処理と、を行う。ＴＶ番組録画・配信サーバ４は、情報を送信・受信する処理と、情報を格納する処理と、ＴＶ番組を録画する処理と、を行う。また、通信端末５は、情報を送信・受信する処理と、情報を入力する処理と、情報を表示・出力する処理と、情報を格納する処理と、を行う。上記の処理は、携帯端末１、認証・課金サーバ２、メール配信サーバ３、ＴＶ番組録画・配信サーバ４、および通信端末５が有するコンピュータプログラムにより実行されるが、上記のプログラムは、光記録媒体、磁気記録媒体、光磁気記録媒体、または半導体等の記録媒体に記録され、上記の記録媒体からロードされるようにしてもよいし、所定のネットワークを介して接続されている外部機器からロードされるようにしてもよい。
【０１７４】
なお、上記の実施形態は本発明の好適な実施の一例であり、本発明の実施形態は、これに限定されるものではなく、本発明の要旨を逸脱しない範囲において種々変形して実施することが可能となる。
【０１７５】
【発明の効果】
以上説明したように、本発明によれば、番組情報配信サーバは、ユーザが登録したキーワードに応じたＴＶ番組情報を含む情報をユーザ端末装置に送信する。従って、ユーザは、自身が興味を持っている分野のＴＶ番組情報を容易に取得することが可能となる。
【０１７６】
また、本発明によれば、ユーザ端末装置がＴＶ番組情報を含む電子メールに設けられたＧＵＩ部品（録画ボタン）を選択すると、録画予約処理が行われる。従って、ユーザは、自身が関心を持っているＴＶ番組の録画を時間、場所、および状況を選ばず容易に行うことが可能となる。
【０１７７】
また、本発明によれば、番組情報配信サーバは、録画終了後、録画が完了した旨の情報を含む電子メールをユーザ端末装置に送信する。ユーザ端末装置が電子メール上のＧＵＩ部品（再生ボタン）を選択すると、ＴＶ番組録画・配信サーバは、ユーザ端末装置にＴＶ番組の映像データを配信する。従って、ユーザは、録画が完了したＴＶ番組を容易に視聴することが可能となる。
【０１７８】
また、本発明によれば、番組情報配信サーバは、ＴＶ番組全体ではなく、ユーザがユーザ登録時に設定したキーワードに関連するＴＶ番組中のシーンだけを抽出し、その抽出したシーンの録画を促す録画メールをユーザ端末装置に送信する。従って、ユーザは自身が関心を持っているシーンだけの映像を取得することができ、ユーザ端末装置およびＴＶ番組録画・配信サーバにおけるＴＶ番組データの記憶領域を効率よく使用することが可能となる。
【図面の簡単な説明】
【図１】本発明の第１の実施形態におけるＴＶ番組録画配信システムを示す図である。
【図２】本発明の第１の実施形態における携帯端末を示す図である。
【図３】本発明の第１の実施形態における認証・課金サーバを示す図である。
【図４】本発明の第１の実施形態におけるメール配信サーバを示す図である。
【図５】本発明の第１の実施形態におけるＴＶ番組録画・配信サーバを示す図である。
【図６】本発明の第１の実施形態における通信端末を示す図である。
【図７】本発明の第１の実施形態におけるＴＶ番組録画配信システムによるユーザ登録動作の流れを示すフローチャートである。
【図８】本発明の第１の実施形態におけるＴＶ番組録画配信システムによるユーザ登録動作の流れを示すフローチャートである。
【図９】本発明の第１の実施形態における登録画面情報を示す図である。
【図１０】本発明の第１の実施形態における認証・課金サーバが保持するユーザ情報データベースを示す図である。
【図１１】本発明の第１の実施形態における登録完了画面情報を示す図である。
【図１２】本発明の第１の実施形態におけるＴＶ番組録画配信システムによる録画予約動作の流れを示すフローチャートである。
【図１３】本発明の第１の実施形態におけるＴＶ番組録画配信システムによる録画予約動作の流れを示すフローチャートである。
【図１４】本発明の第１の実施形態におけるメール配信サーバが保持するＴＶ番組情報データベースを示す図である。
【図１５】本発明の第１の実施形態における携帯端末の表示部が表示する録画メールを示す図である。
【図１６】本発明の第１の実施形態における携帯端末の表示部が表示する利用料金画面情報を示す図である。
【図１７】本発明の第１の実施形態におけるＴＶ番組録画・配信サーバが保持するＴＶ番組情報データベースを示す図である。
【図１８】本発明の第１の実施形態におけるＴＶ番組録画配信システムによる録画動作の流れを示すフローチャートである。
【図１９】本発明の第１の実施形態におけるＴＶ番組録画配信システムによる録画動作の流れを示すフローチャートである。
【図２０】本発明の第１の実施形態における通信端末の表示部が表示する再生メールを示す図である。
【図２１】本発明の第１の実施形態におけるＴＶ番組録画配信システムによるＴＶ番組データ再生動作の流れを示すフローチャートである。
【図２２】本発明の第２の実施形態におけるメール配信サーバの番組情報格納部が格納するシーン情報データベースを示す第１の図である。
【図２３】本発明の第２の実施形態におけるメール配信サーバの番組情報格納部が格納するシーン情報データベースを示す第２の図である。
【図２４】本発明の第２の実施形態における携帯端末の表示部が表示する録画メールを示す図である。
【図２５】本発明の第２の実施形態における認証・課金サーバのユーザ情報格納部が保持するユーザ情報データベースを示す図である。
【図２６】本発明の第２の実施形態におけるＴＶ番組録画・配信サーバの番組情報格納部が格納するシーン情報データベースを示す第１の図である。
【図２７】本発明の第２の実施形態におけるＴＶ番組録画・配信サーバの番組情報格納部が格納するシーン情報データベースを示す第２の図である。
【符号の説明】
１　携帯端末
２　認証・課金サーバ
３　メール配信サーバ
４　ＴＶ番組録画・配信サーバ
５　通信端末
１１、２１、３１、４１、５１　制御部
１２、２２、３２、４２、５２　送受信部
１３、２３、３３、４３、５３　データ格納部
１４、５４　表示部
１５、５５　操作部
１６、５６　音声入出力部
２４、３４　ユーザ情報格納部
２５　ユーザ認証部
２６　ユーザ課金部
２７、３５、４４　番組情報格納部
３６　メール作成部
４５　番組録画部
４６　番組データ蓄積部
【図１】
2004064343.tif 000003
【図２】
2004064343.tif 000004
【図３】
2004064343.tif 000005
【図４】
2004064343.tif 000006
【図５】
2004064343.tif 000007
【図６】
2004064343.tif 000008
【図７】
2004064343.tif 000009
【図８】
2004064343.tif 000010
【図９】
2004064343.tif 000011
【図１０】
2004064343.tif 000012
【図１１】
2004064343.tif 000013
【図１２】
2004064343.tif 000014
【図１３】
2004064343.tif 000015
【図１４】
2004064343.tif 000016
【図１５】
2004064343.tif 000017
【図１６】
2004064343.tif 000018
【図１７】
2004064343.tif 000019
【図１８】
2004064343.tif 000020
【図１９】
2004064343.tif 000021
【図２０】
2004064343.tif 000022
【図２１】
2004064343.tif 000023
【図２２】
2004064343.tif 000024
【図２３】
2004064343.tif 000025
【図２４】
2004064343.tif 000026
【図２５】
2004064343.tif 000027
【図２６】
2004064343.tif 000028
【図２７】
2004064343.tif 000029